(57)【特許請求の範囲】
【請求項１】
コンポーネント映像信号とＶＢＳ信号またはＹ／Ｃ信号を出力するテレビジョンカメラにおいて、前記コンポーネント映像信号に水平ブランキングを付加する第１のデジタルブランキング回路と、前記ＶＢＳ信号またはＹ／Ｃ信号に水平ブランキングを付加する第２のデジタルブランキング回路と、を備え、前記コンポーネント映像信号に付加される水平ブランキングの幅はＳＭＰＴＥ−２５９Ｍ規格に準拠した値に設定される一方、前記ＶＢＳ信号またはＹ／Ｃ信号に付加される水平ブランキングの幅はＲＳ−１７０Ａ規格またはＰＡＬ−Ｂ規格に準拠した値に設定され、前記ＶＢＳ信号またはＹ／Ｃ信号の水平ブランキングの位相は、前記コンポーネント映像信号に付加された水平ブランキングの両端に所定幅ずつ均等に付加されることを特徴とするテレビジョンカメラ。
【請求項２】
コンポーネント映像信号とＶＢＳ信号またはＹ／Ｃ信号が入力されるベースステーション装置において、前記入力されたコンポーネント映像信号に水平ブランキングを付加する第１のデジタルブランキング回路と、前記入力されたＶＢＳ信号またはＹ／Ｃ信号に水平ブランキングを付加する第２のデジタルブランキング回路と、前記水平ブランキングが付加されたコンポーネント映像信号をＳＤＩ信号に変換するＳＤＩ変換回路と、を備えると共に、前記変換したＳＤＩ信号を前記水平ブランキングが付加されたＶＢＳ信号またはＹ／Ｃ信号と同時に出力し、前記ＶＢＳ信号またはＹ／Ｃ信号の水平ブランキングの位相は、前記コンポーネント映像信号に付加された水平ブランキングの両端に所定幅ずつ均等に付加されることを特徴とするベースステーション装置。
【発明の詳細な説明】
【技術分野】
【０００１】
本発明は、テレビジョンカメラおよびベースステーション装置に関する。
【背景技術】
【０００２】
デジタルテレビジョン放送が本格的に運用され始めた今日では、放送局内の映像伝送に非圧縮のコンポーネント映像のシリアルデジタル信号（ＳＤＩ（Serial Digital Interface））が用いられており、テレビジョンカメラに接続されたベースステーション装置からは、従来のアナログ複合映像信号（ＶＢＳ（Video Burst and Sync signal））に加え、アナログのコンポーネント映像信号（ＲＧＢ信号またはＹ，Ｒ−Ｙ，Ｂ−Ｙ信号）とＳＤＩ信号が出力される。尚、テレビジョンカメラからは映像信号としてコンポーネント映像信号とＶＢＳ信号が出力され、ベースステーション装置はコンポーネント映像信号とＳＤＩ信号をＶＢＳ信号と共に出力する。
【０００３】
上記したＳＤＩ信号およびＶＢＳ信号には、水平および垂直ブランキングが付加される（例えば特許文献１参照）。尚、ブランキングの付加処理は、ＶＢＳ信号が生成される前のデジタルのコンポーネント映像信号に対し、デジタルブランキング回路で行われる。
【特許文献１】特開２０００−１３４６３５号公報（段落００１７）
【発明の開示】
【発明が解決しようとする課題】
【０００４】
ここで、ＳＤＩ信号の水平ブランキング幅はＳＭＰＴＥ−２５９Ｍ規格によって約１０．２μｓに規定されているのに対し、ＶＢＳ信号のそれはＮＴＳＣで約１０．９μｓ（ＲＳ−１７０Ａ規格）、ＰＡＬで約１２．０μｓ（ＰＡＬ−Ｂ規格）に規定されている。即ち、ＶＢＳ信号の水平ブランキング幅は、ＳＤＩ信号のそれよりも０．７μｓ以上広い値に規定されている。
【０００５】
しかしながら、従来のブランキングの付加処理は、ＶＢＳ信号を生成する前のコンポーネント映像信号に対して行われていたため、コンポーネント映像信号からＳＤＩ信号とＶＢＳ信号の両方を生成する場合、各信号の水平ブランキング幅をいずれかの放送規格に合わせなければならなかった。
【０００６】
一方、コンポーネント映像信号とは別に、ＶＢＳ信号に対して水平ブランキングを付加することも考えられる。この場合、ＶＢＳ信号への水平ブランキングの付加処理はアナログブランキング回路によって行うことになるが、アナログブランキング回路はデジタルブランキング回路に比して製品ばらつきが発生し易いと共に、周囲温度の影響を受け易く、安定性に欠けるという問題があった。尚、以上の問題は、テレビジョンカメラおよびベースステーション装置から、ＶＢＳ信号に変えてＹ／Ｃ信号を出力する場合にも妥当する。
【０００７】
従って、本発明の目的は上記した課題を解決し、ＳＤＩ信号とＶＢＳ信号（またはＹ／Ｃ信号）にそれぞれの放送規格に合わせた水平ブランキング幅を設定すると共に、ＶＢＳ信号（またはＹ／Ｃ信号）に付加される水平ブランキング幅の安定性を向上させるようにしたテレビジョンカメラおよびベースステーション装置を提供することにある。
【課題を解決するための手段】
【０００８】
上記した課題を解決するため、本発明に係るテレビジョンカメラにあっては、コンポーネント映像信号とＶＢＳ信号またはＹ／Ｃ信号を出力するテレビジョンカメラにおいて、前記コンポーネント映像信号に水平ブランキングを付加する第１のデジタルブランキング回路と、前記ＶＢＳ信号またはＹ／Ｃ信号に水平ブランキングを付加する第２のデジタルブランキング回路とを備えることを特徴とする。
【０００９】
また、本発明に係るテレビジョンカメラにあっては、入力されたコンポーネント映像信号からデジタルの輝度信号と色信号を生成して出力する信号処理回路と、前記信号処理回路から出力されたデジタルの輝度信号と色信号に水平ブランキングを付加するデジタルブランキング回路とを備えることを特徴とする。
【００１０】
また、本発明に係るベースステーション装置にあっては、コンポーネント映像信号とＶＢＳ信号またはＹ／Ｃ信号を入力するベースステーション装置において、前記入力されたコンポーネント映像信号に水平ブランキングを付加する第１のデジタルブランキング回路と、前記入力されたＶＢＳ信号またはＹ／Ｃ信号に水平ブランキングを付加する第２のデジタルブランキング回路と、前記水平ブランキングが付加されたコンポーネント映像信号をＳＤＩ信号に変換するＳＤＩ変換回路とを備えると共に、前記変換したＳＤＩ信号を前記水平ブランキングが付加されたＶＢＳ信号またはＹ／Ｃ信号と同時に出力することを特徴とする。
【発明の効果】
【００１１】
本発明に係るテレビジョンカメラおよびベースステーション装置にあっては、ＳＤＩ信号とＶＢＳ信号（またはＹ／Ｃ信号）にそれぞれの放送規格に合わせた水平ブランキング幅を設定することができる。また、ＶＢＳ信号（またはＹ／Ｃ信号）に付加される水平ブランキング幅の安定性を向上させることができる。
【発明を実施するための最良の形態】
【００１２】
以下、本発明に係るテレビジョンカメラとベースステーション装置を実施するための最良の形態について、図面を参照して説明する。
【実施例１】
【００１３】
図１は、本発明の第１実施例に係るテレビジョンカメラとベースステーション装置の構成を表すブロック図である。尚、図１では、主としてテレビジョンカメラからベースステーション装置への映像信号の伝送経路を示している。
【００１４】
図１において、符号１はテレビジョンカメラを示し、符号２はテレビジョンカメラ１に取り付けられた撮像レンズを示す。また、符号３はテレビジョンカメラ１に取り付けられたカメラアダプタであり、符号４はベースステーション装置である。ベースステーション装置４は、マルチケーブル５を介してカメラアダプタ３に接続される。
【００１５】
撮像レンズ２から入射した被写体（図示せず）の撮像光は、テレビジョンカメラ１の色分解プリズム６でＲ（赤），Ｇ（緑），Ｂ（青）の３原色に色分解される。色分解プリズム６で色分解されたＲ，Ｇ，Ｂの各原色光は、ＣＣＤ７Ｒ，７Ｇ，７ＢによってＲ，Ｇ，Ｂのアナログ信号に光電変換される。
【００１６】
ＣＣＤ７Ｒ，７Ｇ，７Ｂから出力されたコンポーネント映像信号（ＲＧＢ信号）は、それぞれアナログ信号処理回路８Ｒ，８Ｇ，８Ｂに入力される。アナログ信号処理回路８Ｒ，８Ｇ，８Ｂは、ＣＤＳ（相関二重サンプリング）回路やＡＧＣ（自動利得制御）回路を備え、入力されたコンポーネント映像信号に対して各種雑音の除去や利得制御などを行う。
【００１７】
アナログ信号処理回路８Ｒ，８Ｇ，８Ｂから出力されたコンポーネント映像信号は、それぞれＡ／Ｄ変換回路９Ｒ，９Ｇ，９Ｂでアナログ信号からデジタル信号に変換される。デジタル化されたコンポーネント映像信号は、ＤＳＰ（Digital Signal Processor）１０に入力される。ＤＳＰ１０は、デジタル信号処理回路１１と、デジタルブランキング回路（第１のデジタルブランキング回路）１２と、エンコーダ回路１３とを備える。
【００１８】
ＤＳＰ１０に入力されたデジタルのコンポーネント映像信号は、デジタル信号処理回路１１で輪郭補正やガンマ補正などの非線形処理や画質補正が行われた後、デジタルブランキング回路１２に入力され、水平および垂直ブランキングが付加される。
【００１９】
図２は、デジタルブランキング回路１２で行われる水平ブランキングの付加処理を表す説明図である。尚、図２で横軸はＣＣＤの水平サンプリング期間を表し、縦軸は映像信号レベルを表す。
【００２０】
図２の（１）は、水平ブランキングを付加される前の映像信号である。図２の（１）で映像信号の無い期間はＣＣＤの読み出し信号が無い期間であり、黒レベルの基準信号として使用される。
【００２１】
デジタルブランキング回路１２では、先ず、図２の（２）に示すようにブランキングパルスを生成する。図示の如く、パルスの立ち下がりと立ち上がりはそれぞれブランキングの前縁と後縁に相当し、各放送規格により所定の傾斜が設けられる。次に、ブランキングパルスと映像信号のレベル比較を行い、ブランキングパルスが映像信号よりもレベルが大きい場合は映像信号をそのまま残し、逆にブランキングパルスが映像信号よりもレベルが小さい場合は映像信号をカットする。図中の斜線部がブランキング処理によりカットされる映像信号である。以上の処理を経て、図２の（３）に示すような水平ブランキングが付加された映像信号が生成される。デジタルブランキング回路１２でコンポーネント映像信号に付加される水平ブランキング幅は、ＳＭＰＴＥ−２５９Ｍ規格に準拠した値（約１０．２μｓ）に設定される。
【００２２】
尚、コンポーネント映像信号に付加される１０．２μｓのブランキング幅は、ＣＣＤのブランキング幅に対してわずかに広いだけであり、余裕が少ない。そのため、コンポーネント映像信号に付加される水平ブランキングの位相は、ＣＣＤのブランキングの両端に所定幅ずつ均等に付加されるように決定される。
【００２３】
図１の説明に戻ると、デジタルブランキング回路１２でブランキング処理されたコンポーネント映像信号は、ＤＳＰ１０から出力され、Ｄ／Ａ変換回路１４に入力される。Ｄ／Ａ変換回路１４に入力されたコンポーネント映像信号は、そこでデジタル信号からアナログ信号に変換され、テレビジョンカメラ１から出力される。尚、テレビジョンカメラ１から出力されたコンポーネント映像信号は、後にベースステーション装置４でＳＤＩ信号に変換される。
【００２４】
また、デジタルブランキング回路１２でブランキング処理されたコンポーネント映像信号は、ＤＳＰ１０のエンコーダ回路１３にも入力される。エンコーダ回路１３では、入力したコンポーネント映像信号がＲＧＢ信号の場合、広帯域の輝度信号Ｙと狭帯域の色差信号Ｂ−Ｙ，Ｒ−Ｙとを生成する。輝度信号Ｙと色差信号Ｒ−Ｙ，Ｂ−Ｙは、共にデジタル信号である。各色差信号Ｒ−Ｙ，Ｂ−Ｙは、所定の周波数の副搬送波（サブキャリア）で変調された後、多重されて色信号（クロマ信号）Ｃが生成される。尚、輝度信号Ｙは、フィルタリングによる帯域制限によって発生する色信号Ｃの遅延に合わせ、図示しない遅延回路で遅延させられる。
【００２５】
エンコーダ回路１３で生成されたデジタルの輝度信号Ｙと色信号Ｃは、ＤＳＰ１０から出力され、デジタルブランキング回路（第２のデジタルブランキング回路）１５に入力される。
【００２６】
デジタルブランキング回路１５は、例えばＦＰＧＡ（Field Programmable Gate Array）などのデジタル回路によって構成され、図２を参照して説明したのと同様な処理を行って輝度信号Ｙと色信号Ｃにブランキングを付加する。
【００２７】
図３を参照し、デジタルブランキング回路１５で行われる水平ブランキングの付加処理について説明する。図３の（１）は、デジタルブランキング回路１２で水平ブランキングが付加された映像信号である。先ず、図３の（２）に示すようにブランキングパルスを生成する。次いで、ブランキングパルスと映像信号のレベル比較を行い、ブランキングパルスが映像信号よりもレベルが大きい場合は映像信号をそのまま残し、逆にブランキングパルスが映像信号よりもレベルが小さい場合は映像信号をカットする。図中の斜線部がブランキング処理によりカットされる映像信号である。以上の処理を経て、図３の（３）に示すような水平ブランキングが付加された映像信号が生成される。
【００２８】
尚、デジタルブランキング回路１２でコンポーネント映像信号に付加される水平ブランキング幅は、デジタルブランキング回路１５で輝度信号Ｙと色信号Ｃに付加される水平ブランキング幅よりも狭い値に設定される。具体的には、デジタルブランキング回路１２でコンポーネント映像信号に付加される水平ブランキング幅はＳＭＰＴＥ−２５９Ｍ規格の１０．２μｓであったのに対し、デジタルブランキング回路１５で輝度信号Ｙと色信号Ｃに付加される水平ブランキング幅は、ＮＴＳＣでＲＳ−１７０Ａ規格の１０．９μｓ、ＰＡＬでＰＡＬ−Ｂ規格の１２．０μｓに設定される。
【００２９】
輝度信号Ｙと色信号Ｃは、後に多重されてＶＢＳ信号（コンポジット映像信号）が生成されるが、ＳＤＩ信号の映像中心とＶＢＳ信号の映像中心は一致させなければならない。そのため、輝度信号Ｙと色信号Ｃの水平ブランキングの位相は、ＳＤＩ信号の生成に用いられるコンポーネント映像信号に付加された水平ブランキングの両端に所定幅（ＮＴＳＣの場合は０．３５μｓ、ＰＡＬの場合は０．９μｓ）ずつ均等に付加されるように決定される。
【００３０】
図１の説明を続けると、デジタルブランキング回路１５でブランキング処理された輝度信号Ｙと色信号Ｃは、Ｄ／Ａ変換回路１６に入力されてデジタル信号からアナログ信号に変換される。アナログ信号に変換された輝度信号Ｙと色信号Ｃは多重回路１７に入力され、そこで多重されてＶＢＳ信号が生成される。
【００３１】
テレビジョンカメラ１で生成されたアナログのコンポーネント映像信号とＶＢＳ信号は、カメラアダプタ３に入力されてそこで電流増幅された後、マルチケーブル５を介してベースステーション装置４に入力される。
【００３２】
ベースステーション装置４に入力されたコンポーネント映像信号とＶＢＳ信号は、ケーブル補正回路１８に入力され、そこでマルチケーブル５を通過する際に減衰した高周波成分が補正される。ケーブル補正回路１８から出力されたコンポーネント映像信号とＶＢＳ信号のうち、コンポーネント映像信号はシリアルデジタル変換回路１９でＳＤＩ信号に変換される。ＳＤＩ信号とＶＢＳ信号は電流増幅された後、ベースステーション装置４から後段の機器（例えばコントロールパネル）に同時に出力される。
【００３３】
尚、上記において、輝度信号Ｙと色信号Ｃを多重してＶＢＳ信号を生成したが、Ｙ／Ｃ信号をテレビジョンカメラ１およびベースステーション装置４からそのまま出力するようにしてもよい。
【００３４】
また、コンポーネント映像信号としてＲＧＢ信号を使用したが、Ｙ，Ｒ−Ｙ，Ｂ−Ｙ信号を使用してもよい。その場合、エンコーダ回路１３で色差信号Ｒ−Ｙ，Ｂ−Ｙを生成する必要はない。
【００３５】
また、上記では映像信号処理をＤＳＰ１０とＦＰＧＡからなるデジタルブランキング回路１５で行うようにしたが、全ての処理をＤＳＰあるいはＦＰＧＡなどの集積回路で行うようにしてもよい。
【００３６】
また、テレビジョンカメラ１からベースステーション装置４へのコンポーネント映像信号の伝送は、ベースバンド、ＦＭ変復調、ＡＭ変復調および光伝送などのいずれの方式であってもよい。
【００３７】
さらに、各映像信号へのブランキングの付加をテレビジョンカメラ１で行うようにしたが、ベースステーション装置４に上述したＤＳＰ１０とデジタルブランキング回路１５と同様な回路をＳＤＩ変換回路１９の前段に設け、ベースステーション装置４で各映像信号にブランキングを付加するようにしてもよい。
【００３８】
このように、本発明の第１実施例に係るテレビジョンカメラ１にあっては、ＳＤＩ信号の生成に用いられるデジタルのコンポーネント映像信号に水平ブランキングを付加するデジタルブランキング回路（第１のデジタルブランキング回路）１２と、ＶＢＳ信号の生成に用いられるデジタルのＹ／Ｃ信号に水平ブランキングを付加するデジタルブランキング回路（第２のデジタルブランキング回路）１５の計２個のデジタルブランキング回路を備えるように構成したので、ＳＤＩ信号とＶＢＳ信号またはＹ／Ｃ信号にそれぞれの放送規格に合わせた水平ブランキング幅を設定することができる。具体的には、コンポーネント映像信号に付加する水平ブランキング幅をＳＭＰＴＥ−２５９Ｍ規格に準拠した値に設定することができる一方、ＶＢＳ信号またはＹ／Ｃ信号に付加する水平ブランキング幅をＲＳ−１７０Ａ規格またはＰＡＬ−Ｂ規格に準拠した値に設定することができる。
【００３９】
また、コンポーネント映像信号からデジタルの輝度信号Ｙと色信号Ｃを生成してＹ／Ｃ信号を出力するＤＳＰ１０と、ＤＳＰ１０から出力されたデジタルのＹ／Ｃ信号に水平ブランキングを付加するデジタルブランキング回路１５とを備えるように構成したので、デジタルのままのＹ／Ｃ信号に水平ブランキングを付加することができる。そのため、ＶＢＳ信号またはＹ／Ｃ信号に付加される水平ブランキング幅の安定性を向上させることができる。
【００４０】
また、ＤＳＰ１０内のデジタルブランキング回路１２において、デジタルブランキング回路１５で付加される水平ブランキング幅（即ち、ＲＳ−１７０Ａ規格またはＰＡＬ−Ｂ規格に準拠した値）よりも狭い水平ブランキング幅（即ち、ＳＭＰＴＥ−２５９Ｍ規格に準拠した値）をコンポーネント映像信号に付加し、当該コンポーネント映像信号からＹ／Ｃ信号を生成するように構成したので、ＳＭＰＴＥ−２５９Ｍ規格に準拠した水平ブランキング幅をコンポーネント映像信号に付加した後に、さらにＲＳ−１７０Ａ規格またはＰＡＬ−Ｂ規格に準拠した水平ブランキング幅をＶＢＳ信号またはＹ／Ｃ信号に付加することができる。
【００４１】
また、本発明に係るベースステーション装置４にあっては、上記したテレビジョンカメラ１から水平ブランキング幅が付加されたコンポーネント映像信号と水平ブランキング幅が付加されたＶＢＳ信号またはＹ／Ｃ信号の入力を受け、前記入力されたコンポーネント映像信号をＳＤＩ信号に変換し、ＳＤＩ信号をＶＢＳ信号またはＹ／Ｃ信号と同時に出力するように構成したので、各放送規格に合った水平ブランキングが付加されたＳＤＩ信号とＶＢＳ信号またはＹ／Ｃ信号を、後段の機器に供給することができる。
【００４２】
尚、テレビジョンカメラ１に搭載したＤＳＰ１０とデジタルブランキング回路１５をベースステーション装置４に設け、ベースステーション装置４でブランキングの付加処理を行うようにしても、上述したのと同様の効果を得ることができる。
【実施例２】
【００４３】
次いで、本発明の第２実施例に係るテレビジョンカメラとベースステーション装置について説明する。
【００４４】
図４は、第２実施例に係るテレビジョンカメラとベースステーション装置の構成を表す、図１と同様なブロック図である。以下、図４を参照し、第１実施例との相違点について説明する。尚、第１実施例と機能的に同様な構成については、同一符号を付して説明を省略する。
【００４５】
ＳＤＩ信号とＶＢＳ信号またはＹ／Ｃ信号が共存するシステムでは、ＳＤＩ信号の水平ブランキング幅をＶＢＳ信号やＹ／Ｃ信号のそれに合わせる必要がある場合も考えられる。そこで、第２実施例では、ＤＳＰ内のデジタルブランキング回路でコンポーネント映像信号に付加される水平ブランキング幅を、可変とするように構成した。
【００４６】
図４に示すように、本実施例に係るテレビジョンカメラ１００には、例えば十字キーなどからなる操作キー（ブランキング幅入力手段）１０１と、ビューファインダ１０２を備える。操作キー１０１とビューファインダ１０２は、それぞれテレビジョンカメラ１００内に設けられたＣＰＵ１０３に接続される。
【００４７】
ＣＰＵ１０３は、操作者による操作キー１０１の操作に応じ、メニュー画面をビューファインダ１０２に表示する。ビューファインダ１０２には、各種パラメータの設定画面の一つとして、水平ブランキング幅の設定画面が表示される。水平ブランキング幅の設定画面には、ＤＳＰ１０内のデジタルブランキング回路１２でコンポーネント映像信号に付加すべき水平ブランキングの規格として、ＳＭＰＴＥ−２５９ＭとＲＳ−１７０Ａ（またはＰＡＬ−Ｂ）が表示される。操作者は、操作キー１０１を操作して使用する規格（水平ブランキング幅）を指定する（入力する）。ＣＰＵ１０３は、デジタルブランキング回路１２でコンポーネント映像信号に付加すべき水平ブランキング幅を、操作キー１０１を介して操作者から指定された水平ブランキング幅に設定（変更）する。
【００４８】
即ち、デジタルブランキング回路１２でコンポーネント映像信号に付加されるブランキング幅は、操作者による操作キー１０１の操作に応じ、ＳＭＰＴＥ−２５９Ｍに準拠した１０．２μｓとＲＳ−１７０Ａに準拠した１０．９μｓ（またはＰＡＬ−Ｂに準拠した１２．０μｓ）のいずれかに設定される。
【００４９】
尚、デジタルブランキング回路１２で付加される水平ブランキング幅がＲＳ−１７０ＡまたはＰＡＬ−Ｂに準拠した値に設定されたときは、後段のデジタルブランキング回路１５で水平ブランキング幅をそれ以上広げられないので、デジタルブランキング回路１５は実質的に機能しない（輝度信号Ｙと色信号Ｃのブランキング幅は変化しない）。
【００５０】
このように、本発明の第２実施例に係るテレビジョンカメラ１００にあっては、操作者が指定する水平ブランキング幅を入力する操作キー１０１を備えると共に、デジタルブランキング回路１２において、コンポーネント映像信号に付加する水平ブランキング幅を前記指定された水平ブランキング幅に設定するように構成したので、第１実施例で述べた効果に加え、コンポーネント映像信号の水平ブランキング幅の設定の自由度を向上させることができる。
【００５１】
尚、第２実施例において、メニュー画面をビューファインダ１０２に表示するようにしたが、テレビジョンカメラ１００にモニタを接続し、そこに表示してもよい。
【図面の簡単な説明】
【００５２】
【図１】本発明の第１実施例に係るテレビジョンカメラとベースステーション装置の構成を表すブロック図である。
【図２】図１に示すデジタルブランキング回路（第１のデジタルブランキング回路）で行われる水平ブランキングの付加処理を表す説明図である。
【図３】図１に示すデジタルブランキング回路（第２のデジタルブランキング回路）で行われる水平ブランキングの付加処理を表す説明図である。
【図４】本発明の第２実施例に係るテレビジョンカメラとベースステーション装置の構成を表すブロック図である。
【符号の説明】
【００５３】
１：テレビジョンカメラ、  ４：ベースステーション装置、  １０：ＤＳＰ、  １２：デジタルブランキング回路（第１のデジタルブランキング回路）、  １５：デジタルブランキング回路（第２のデジタルブランキング回路）、  １０１：操作キー（ブランキング幅入力手段）
【図１】
0004819513.tif 000002
【図２】
0004819513.tif 000003
【図３】
0004819513.tif 000004
【図４】
0004819513.tif 000005